(57)【要約】【課題】比較的簡単な回路の追加でマルチパスフェージングも補償できるデジタル中継装置を提供する。【解決手段】デジタル放送中継装置において、複数系統の受信アンテナ１−１〜１−Ｎに受信されたＯＦＤＭ信号は、復調部３−１〜３−ＮでＴＳ信号に復調され、同期回路５により同期された後、選択部６に伝送される。同期された複数系統のＴＳ信号は、選択部６におけるエラービット検出部６１と選択スイッチ６２によりエラー無しのＴＳ信号が選択され、変調部７で再変調され、周波数変換部８で周波数変換された後、送信アンテナ９から再送信される。【選択図】      図１
2008147878.tif 000002
【特許請求の範囲】
【請求項１】
ＯＦＤＭ（Orthogonal Frequency Division Multiplexing：直交周波数分割多重）方式の放送信号を互いに独立して受信する複数系統の受信手段と、
前記複数系統の受信手段で受信された放送信号それぞれからＴＳ（Transport Stream：トランスポートストリーム）信号を出力する複数の復調手段と、
前記複数の復調手段それぞれより出力されるＴＳ信号を同期させる同期手段と、
前記同期手段により同期される複数系統のＴＳ信号を入力され、当該複数系統のＴＳ信号のうち１つを選択する選択手段と、
前記選択されたＴＳ信号を変調する変調手段と、
前記変調されたＴＳ信号を再送信する再送信手段と
を具備することを特徴とするデジタル放送中継装置。
【請求項２】
前記放送信号が、ＩＳＤＢ−Ｔ（Integrated Services Digital Broadcasting for Terrestrial）方式の規格に準拠しているとき、
前記選択手段は、
前記同期されて出力された複数系統のＴＳ信号に含まれるＰＩＤ（Packet Identifier：パケット識別子）及び伝送エラー識別子を検出し、同一のＰＩＤのＴＳ信号のうちエラー無しを示す伝送エラー識別子を有するＴＳ信号を選択するべく選択信号を生成する信号生成手段と、
前記信号生成手段からの選択信号によりエラー無しを示す伝送エラー識別子を有するＴＳ信号を選択して出力する選択スイッチ手段と
を具備することを特徴とする請求項１に記載のデジタル放送中継装置。
【請求項３】
ＯＦＤＭ（Orthogonal Frequency Division Multiplexing：直交周波数分割多重）方式の放送信号を複数系統で互いに独立して受信し、
前記複数系統で受信された放送信号それぞれからＴＳ（Transport Stream：トランスポートストリーム）信号を復調し、
前記複数系統のＴＳ信号を同期させ、
前記複数系統の同期されたＴＳ信号のうちの１つを選択させ、
前記選択されたＴＳ信号を変調し、
前記変調されたＴＳ信号を再送信することを特徴とするデジタル放送中継方法。
【発明の詳細な説明】
【技術分野】
【０００１】
本発明は、例えば地上デジタル放送システムに用いられ、マルチパスを補償するＣＮリセット機能を有するデジタル放送中継装置及びデジタル放送中継方法に関する。
【背景技術】
【０００２】
地上デジタル放送システムでは、放送サービスエリアの拡大および難視聴地域の解消を目的として、多数の中継装置を所定のエリアに分散配置し、各中継装置にてＯＦＤＭ（Orthogonal Frequency Division Multiplexing：直交周波数分割多重）方式による放送波信号を多段中継する方式が採用されている。このシステムにおいて、マルチパスやマルチパスフェージング等の影響により、中継装置が、基地局からの放送波信号を正確に受信できない場合がある。このマルチパスを抑圧するため、ＣＮの劣化をリセットすることが可能なＣＮリセット機能を有するデジタル放送中継装置が提案されている。この中継装置におけるＣＮリセット機能は、受信した放送波信号をＴＳ（Transport Stream：トランスポートストリーム）信号に復調し、伝送路の補償(等化)を行った後、再変調を行うことで、上位局における多段中継により蓄積されたＣＮの劣化をリセットするというものである。
【０００３】
このＣＮリセット機能は、劣化が固定的な伝送環境下では非常に有効である。しかしながら、マルチパスフェージングなど動的に変化する伝播環境、例えばフェージングによって受信電力が急激に低下して劣化した場合、信号を完全に復調することはできず、その性能を十分に発揮しきれないことがある。
【０００４】
一方、マルチパスフェージングを補償するため、ダイバーシチ機能を有したデジタル放送中継装置が提案されている（例えば、特許文献１。）。この中継装置に用いるダイバーシチ機能によれば、受信した複数系統の放送波信号に、系統毎に推定される伝送路応答に基づいて重み付けをした後、ダイバーシチ合成を行うことで、放送波信号のマルチパスフェージングによって生じる受信電力の低下に対処することが可能となる。
【０００５】
このことから、上述したＣＮリセット機能を有するデジタル放送中継装置において、放送波信号をＴＳ信号に復調する復調部の前段で、放送波信号のダイバーシチ合成を行うようにすれば、従来のＣＮリセット機能を有するデジタル放送中継装置でもマルチパスフェージングを補償することが可能になると考えられる。しかしながら、この方法の場合、復調部とは別に、ダイバーシチ合成される系統それぞれに伝送路応答の推定に必要な高速フーリエ変換部を要するため、装置規模が大きくなってしまうという問題があった。
【特許文献１】特開２００２−２７１２９１号公報
【発明の開示】
【発明が解決しようとする課題】
【０００６】
以上述べたように、従来のＣＮリセット機能を有するデジタル放送中継装置では、マルチパスフェ−ジングに対応できず、また、対応させようとすると、装置規模が大きくなってしまう。
【０００７】
本発明は上記事情によりなされたもので、その目的は、比較的簡単な回路の追加で、マルチパスおよびマルチパスフェ−ジングに対応することができるデジタル放送中継装置及びデジタル放送中継方法を提供することである。
【課題を解決するための手段】
【０００８】
上記目的を達成するため、本発明は、ＯＦＤＭ（Orthogonal Frequency Division Multiplexing：直交周波数分割多重）方式の放送信号を互いに独立して受信する複数系統の受信手段と、前記複数系統の受信手段で受信された放送信号それぞれからＴＳ（Transport Stream：トランスポートストリーム）信号を出力する複数の復調手段と、前記複数の復調手段それぞれより出力されるＴＳ信号を同期させる同期手段と、前記同期手段により同期される複数系統のＴＳ信号を入力され、当該複数系統のＴＳ信号のうち１つを選択する選択手段と、前記選択されたＴＳ信号を変調する変調手段と、前記変調されたＴＳ信号を再送信する再送信手段とを具備する。
【０００９】
このようにして、複数系統の受信手段で互いに独立して受信されたＯＦＤＭ信号は、復調手段でＴＳ信号に復調され、同期手段で同期された後、選択手段に出力される。複数系統のＴＳ信号のうち選択手段で選択されたＴＳ信号は、変調手段で再変調され、再送信手段から再送信される。
【００１０】
特に、上記構成におけるデジタル放送中継装置において、前記放送信号が、ＩＳＤＢ−Ｔ（Integrated Services Digital Broadcasting for Terrestrial）方式の規格に準拠している場合、前記選択手段は、前記同期されて出力された複数系統のＴＳ信号に含まれるＰＩＤ（Packet Identifier：パケット識別子）及び伝送エラー識別子を検出し、同一のＰＩＤのＴＳ信号のうちエラー無しを示す伝送エラー識別子を有するＴＳ信号を選択するべく選択信号を生成する信号生成手段と、前記信号生成手段からの選択信号によりエラー無しを示す伝送エラー識別子を有するＴＳ信号を選択して出力する選択スイッチ手段とを具備する。
【００１１】
このようにして、選択手段において、複数系統のＴＳ信号からエラー無しのＴＳ信号を選択する。
【発明の効果】
【００１２】
本発明では、受信した複数系統のＯＦＤＭ信号を、複数系統のＴＳ信号に復調し、エラー無しを示すＴＳ信号を選択した後、再変調をかけて再送信するため、マルチパスおよびマルチパスフェージングに対応することが可能であり、より安定した放送波中継が実現できる。また選択手段において、ＰＩＤおよび伝送エラー識別子に基づき、複数系統のＴＳ信号からエラー無しのＴＳ信号を選択するため、従来のＣＮリセット機能を有するデジタル放送中継装置と比較して比較的簡単な回路の追加でマルチパスフェージングに対応することができる。したがって、本発明によれば、比較的簡単な回路の追加で、マルチパスおよびマルチパスフェ−ジングに対応することができるデジタル放送中継装置及びデジタル放送中継方法を提供することができる。
【発明を実施するための最良の形態】
【００１３】
以下、図面を参照しながら本発明の実施の形態について詳細に説明する。
【００１４】
図１は、本発明の一実施形態に係るデジタル放送中継装置の概略構成を示すブロック図である。図１において、受信アンテナ１−１〜１−Ｎにより互いに独立して受信されたＯＦＤＭ信号は、チューナー部２−１〜２−Ｎで各受信アンテナの系統毎に所定のＩＦ（Intermediate Frequency：中間周波数）帯の信号に変換された後、復調部３−１〜３−Ｎに供給される。復調部３−１〜３−Ｎは、ＩＦ信号の伝送路による歪みの補償、デインターリーブ、および誤り訂正を行い、複数系統のＴＳ信号を復調する。このとき、復調部３−１〜３−Ｎで復調されて出力される複数系統のＴＳ信号は、それぞれが異なるタイミングで出力されるため、タイミング調整用のバッファ部４−１〜４−Ｎに一時保持される。バッファ部４−１〜４−Ｎに保持されたＴＳ信号は、同期回路５から与えられるバッファ部４−１〜４−Ｎへの同期確立信号に従って同期した状態で読み出され、選択部６に出力される。
【００１５】
選択部６は、同期された複数系統のＴＳ信号を入力し、図２に示すように、各系統のＴＳ信号を２分岐し、一方をエラービット検出部６１へ導出し、他方を選択スイッチ６２へ導出する。エラービット検出部６１は、ＴＳ信号におけるエラービットからエラーの有無を検出し、エラー無しを示すＴＳ信号を選択させる選択信号を生成して、選択スイッチ６２に出力する。選択スイッチ６２は、エラービット検出部６１からの選択信号に基づき、複数系統のＴＳ信号からエラー無しが示されるＴＳ信号を選択して出力する。
【００１６】
選択部６から出力されるエラー無しを示すＴＳ信号は、変調部７で再度変調され、周波数変換手段８で所望のチャンネル送信周波数に変換された後、送信アンテナ９から再送信される。
【００１７】
次に、上記構成において選択部６におけるエラー無しを示すＴＳ信号の選択動作を詳細に説明する。
【００１８】
図３は、本発明の一実施形態に係るＩＳＤＢ−Ｔ規格におけるＴＳ信号のＴＳパケットの構造図の一例を示す。
【００１９】
図３に示すようにＩＳＤＢ−Ｔ規格におけるＴＳ信号のＴＳヘッダには、伝送エラー識別子が１ビット挿入されており、エラービット検出部６１は、１８８バイトのＴＳパケット内にエラーがあるか否かをこの伝送エラー識別子を検出することにより認識している。また、ヘッダ内のＰＩＤ（Packet Identifier：パケット識別子）を検出することにより、各受信アンテナ１−１〜１−Ｎで受信したＯＦＤＭ信号のパケットが同じものであるか否かを確認する。
【００２０】
図２において、バッファ部４−１〜４−Ｎから選択部６に、同期回路５により同期された複数系統のＴＳ信号が入力されると、エラービット検出部６１は、各ＴＳ信号のＰＩＤと伝送エラー識別子を検出する。エラービット検出部６１は、同じＰＩＤを有するパケット同士で伝送エラー識別子に表示されるエラーの有無を確認し、エラー無しを示す伝送エラー識別子を有するＴＳ信号を選択する旨の選択信号を選択スイッチ６２へ出力する。選択スイッチ６２は、エラービット検出部６１からの選択信号に基づき、複数系統のＴＳ信号のうちエラー無しを示す伝送エラー識別子を有するＴＳ信号を選択し変調部７へ出力する。
【００２１】
したがって、上記構成によるデジタル放送中継装置では、復調された複数系統のＴＳ信号のうち、エラー無しのＴＳ信号が選択されるため、放送波中継の信頼性をさらに向上させることができ、より安定した放送波中継が実現できる。また、比較的簡単な回路の追加で、従来のＣＮリセット機能付きデジタル放送中継装置では困難であったマルチパスフェ−ジングへの対応も実現できる。
【００２２】
なお、この発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。
【図面の簡単な説明】
【００２３】
【図１】本発明に係るデジタル放送中継装置の一実施形態の構成を示すブロック図。
【図２】上記実施形態の選択部の具体的な構成を示すブロック図。
【図３】上記実施形態のＴＳ信号のＴＳパケットの一例を示す構造図。
【符号の説明】
【００２４】
１−１〜１−Ｎ…受信アンテナ、２−１〜２−Ｎ…チューナー部、３−１〜３−Ｎ…復調部、４−１〜４−Ｎ…バッファ部、５…同期回路、６…選択部、６１…エラービット検出部、６２…選択スイッチ、７…変調部、８…周波数変換部、９…送信アンテナ。
【図１】
2008147878.tif 000003
【図２】
2008147878.tif 000004
【図３】
2008147878.tif 000005